(57)【要約】【課題】メガネやスマートフォンを安定性良く保持することができるとともにメガネやスマートフォンに付着した手垢などの汚れを除去することもできる小物物品スタンドを提供する。【解決手段】小物物品スタンド１００は、基部１１０と上部体１２０とで構成されて垂直方向に延びるスタンド本体１０１に下端支持体１１４、第１拭き部１１３、受け部１２５および上側ロック片１２４を備える。下端支持体１１４は、基部１１０の前面における下端部から前方に向かって延びた後、各先端部がそれぞれ上方に屈曲する２つの棒状体で構成されている。第１拭き部１１３は、下端支持体１１４上に載置されてスタンド本体１１０側に傾倒する携帯端末装置ＳＭに対向する基部１１０の前面に形成されている。受け部１２５は、上部体１２０の前面における下端部と上側ロック片１２４との間に形成されている。上側ロック片１２４は、上部体１２０側から張り出すだ円錐状に形成されている。【選択図】  図１
2016083189.tif 000002
【特許請求の範囲】
【請求項１】
メガネまたは携帯端末装置を支持する小物物品スタンドであって、
前記小物物品スタンドの設置対象となる設置面上に載置されて同設置面上から垂直方向に柱状に延びて形成されたスタンド本体と、
前記スタンド本体の下端部から張り出して形成されて前記メガネをレンズ面が起立した姿勢または前記携帯端末装置を表示画面が起立した姿勢で支持する弾性体からなる下端支持体とを備え、
前記スタンド本体は、
前記下端支持体上に載置されて起立する前記メガネまたは前記携帯端末装置を弾性的に受け止めて起立状態を維持した状態で支持する受け部と、
前記下端支持体上に載置されて起立する前記メガネまたは前記携帯端末装置に対向する位置に前記メガネまたは前記携帯端末装置に付着した汚れを拭き取るための布で構成された第１拭き部を備えていることを特徴とする小物物品スタンド。
【請求項２】
請求項１に記載した小物物品スタンドにおいて、さらに、
前記スタンド本体から張り出して形成されて前記下端支持体上に支持された前記メガネまたは前記携帯端末装置の上端部分の少なくとも一部を覆う弾性体からなる上側ロック片を備えることを特徴とする小物物品スタンド。
【請求項３】
請求項２に記載した小物物品スタンドにおいて、
前記上側ロック片は、
前記下端支持体に対向する表面が前記スタンド本体から張り出した先端部側から同スタンド本体部側に向かって下方に傾斜していることを特徴とする小物物品スタンド。
【請求項４】
請求項１ないし請求項３のうちのいずれか１つに記載した小物物品スタンドにおいて、
前記下端支持体は、
２つの棒状体で構成されているとともに、各棒状体は前記スタンド本体からそれぞれ棒状に延びた後、各先端部がそれぞれ上方に屈曲して形成されていることを特徴とする小物物品スタンド。
【請求項５】
請求項１ないし請求項４のうちのいずれか１つに記載した小物物品スタンドにおいて、
前記スタンド本体は、
前記上側ロック片よりも上方に延びて形成されるとともに、同上側ロック片の反対側の面に前記メガネまたは前記携帯端末装置に付着した汚れを拭き取るための布で構成された第２拭き部を備えていることを特徴とする小物物品スタンド。
【請求項６】
請求項１ないし請求項５のうちのいずれか１つに記載した小物物品スタンドにおいて、
前記スタンド本体は、動物の胴体を模して構成されており、
前記下端支持体は、動物の足を模して構成されており、
前記上側ロック片は、動物の頭部の一部を模して構成されていることを特徴とする小物物品スタンド。
【発明の詳細な説明】
【技術分野】
【０００１】
本発明は、メガネや携帯端末装置（例えば、スマートフォンや携帯型コンピュータ装置などの平面視で長方形状の板状に形成された携帯端末装置）を支持する小物物品スタンドに関する。
【背景技術】
【０００２】
従来から、メガネや携帯端末装置（例えば、スマートフォンや携帯型コンピュータ装置などの平面視で長方形状の板状に形成された携帯端末装置）を支持する小物物品スタンドがある。例えば、下記特許文献１には、動物のサルの頭部を模しためがね保持部をメガネのテンプルを開いた状態で支持するめがねスタンドが開示されている。また、例えば、下記特許文献２には、空洞部を有する半球体で構成されたスタンド本体の一部にスマートフォンを載置する載置部が弾性を有して膨らんで形成され携帯端末装置用スタンドが開示されている。
【先行技術文献】
【特許文献】
【０００３】
【特許文献１】実用新案登録第３１３５４３０号公報
【特許文献２】実用新案登録第３１８０１５７号公報
【０００４】
しかしながら、上記特許文献１に記載されためがねスタンドにおいては、テンプルが開いた状態のメガネをめがねスタンドの設置面上から浮いた状態で支持しているため安定性に欠けるとともに、メガネを単に保持するのみでメガネに付着した手垢などの汚れを除去することはできなかった。また、上記特許文献２に記載された携帯端末装置用スタンドにおいては、スマートフォンなどの携帯端末装置を長手方向に沿って傾斜させた姿勢で載置部上に載置されるため、安定性が悪く載置部上から脱落し易いという問題がある。また、この従来の携帯端末装置用は、携帯端末装置を単に保持するのみで携帯端末装置に付着した手垢などの汚れを除去することはできなかった。
【０００５】
本発明は上記問題に対処するためなされたもので、その目的は、メガネや携帯端末装置を安定性良く保持することができるとともにメガネや携帯端末装置に付着した手垢などの汚れやゴミを除去することもできる小物物品スタンドを提供することにある。
【発明の概要】
【０００６】
上記目的を達成するため、本発明の特徴は、メガネまたは携帯端末装置を支持する小物物品スタンドであって、小物物品スタンドの設置対象となる設置面上に載置されて同設置面上から垂直方向に柱状に延びて形成されたスタンド本体と、スタンド本体の下端部から張り出して形成されてメガネをレンズ面が起立した姿勢または携帯端末装置を表示画面が起立した姿勢で支持する弾性体からなる下端支持体とを備え、スタンド本体は、下端支持体上に載置されて起立するメガネまたは携帯端末装置を弾性的に受け止めて起立状態を維持した状態で支持する受け部と、下端支持体上に載置されて起立するメガネまたは携帯端末装置に対向する位置にメガネまたは携帯端末装置に付着した汚れを拭き取るための布で構成された第１拭き部を備えていることにある。
【０００７】
この場合、第１拭き部は、メガネまたは携帯端末装置に付着した手垢、皮脂、水分または埃などの汚れを拭き取ることができる樹脂製（例えば、ポリエステル材とナイロン材との混成材）の超極細繊維、所謂マイクロファイバで構成することができる。また、小物物品スタンドは、携帯端末装置を支持する場合においては、スタンド本体を携帯端末装置の短辺よりも長い長さで垂直方向に延びて形成するとともに、下端支持体を携帯端末装置の長辺部分を載置する弾性体で構成するとよい。
【０００８】
このように構成した本発明の特徴によれば、小物物品スタンドは、スタンド本体の下端部から張り出した下端支持体上にメガネまたは携帯端末装置を起立させた姿勢で載置することによりメガネまたは携帯端末装置をスタンド本体に凭れさせた状態で支持しているため、メガネまたは携帯端末装置を安定的に保持することができる。また、本発明に係る小物物品スタンドは、スタンド本体におけるメガネまたは携帯端末装置が対向する部分に汚れを拭き取るための布で構成された第１拭き部を備えているため、この第１拭き部によってメガネまたは携帯端末装置に付着した汚れやゴミを拭き取ることができる。
【０００９】
また、本発明の他の特徴は、前記小物物品スタンドにおいて、さらに、スタンド本体から張り出して形成されて下端支持体上に支持されたメガネまたは携帯端末装置の上端部分の少なくとも一部を覆う弾性体からなる上側ロック片を備えることにある。
【００１０】
このように構成した本発明の他の特徴によれば、小物物品スタンドは、下端支持体上に支持されたメガネまたは携帯端末装置の上端部分の少なくとも一部を覆う弾性体からなる上側ロック片を備えているため、メガネまたは携帯端末装置をより安定的に保持することができる。
【００１１】
また、本発明の他の特徴は、前記小物物品スタンドにおいて、上側ロック片は、下端支持体に対向する表面がスタンド本体から張り出した先端部側から同スタンド本体部側に向かって下方に傾斜していることにある。
【００１２】
このように構成した本発明の他の特徴によれば、小物物品スタンドは、上側ロック片が下端支持体に対向する表面がスタンド本体から張り出した先端部側から同スタンド本体部側に向かって下方に傾斜しているため、下端支持体上にメガネまたは携帯端末装置を配置する際、メガネまたは携帯端末装置の上端部を徐々に上側ロック片に押し込むことができるとともに、メガネまたは携帯端末装置を取り出す際にもメガネまたは携帯端末装置の上端部を上側ロック片から少し外すことで容易に取り出すことができ、メガネまたは携帯端末装置の保持および取り出しの各作業を行い易くすることができる。
【００１３】
また、本発明の他の特徴は、前記小物物品スタンドにおいて、下端支持体は、２つの棒状体で構成されているとともに、各棒状体はスタンド本体からそれぞれ棒状に延びた後、各先端部がそれぞれ上方に屈曲して形成されていることにある。
【００１４】
このように構成した本発明の他の特徴によれば、小物物品スタンドは、下端支持体がスタンド本体から前方にそれぞれ棒状に延びた後、各先端部がそれぞれ上方に屈曲し２つの棒状体で構成されているため、傾倒した状態のメガネまたは携帯端末装置の下端部が前方にずれることを防止してメガネまたは携帯端末装置をより安定的に保持することができる。
【００１５】
また、本発明の他の特徴は、前記小物物品スタンドにおいて、スタンド本体は、上側ロック片よりも上方に延びて形成されるとともに、同上側ロック片の反対側の面にメガネまたは携帯端末装置に付着した汚れを拭き取るための布で構成された第２拭き部を備えていることにある。この場合、第２拭き部は、メガネまたは携帯端末装置に付着した手垢、皮脂、水分または埃などの汚れを拭き取ることができる樹脂製（例えば、ポリエステル材とナイロン材との混成材）の超極細繊維、所謂マイクロファイバで構成することができる。
【００１６】
このように構成した本発明の他の特徴によれば、小物物品スタンドは、スタンド本体が上側ロック片よりも上方に延びて形成されるとともに、同上側ロック片の反対側の面にメガネまたは携帯端末装置に付着した汚れを拭き取るための布で構成された第２拭き部を備えているため、メガネまたは携帯端末装置に付着した汚れを手に持った小物物品スタンドの第２拭き部で拭き取ることができる。この場合、第２拭き部は、スタンド本体における上側ロック片の反対側の面に設けているため大きな面積で形成することがで、メガネのレンズまたは携帯端末装置における表示画面や背面などの大きな面積を効率的に拭くことができる。
【００１７】
また、本発明の他の特徴は、前記小物物品スタンドにおいて、スタンド本体は、動物の胴体を模して構成されており、下端支持体は、動物の足を模して構成されており、上側ロック片は、動物の頭部の一部を模して構成されていることにある。この場合、動物には、人間、実在する動物、例えば、愛玩動物（イヌ、ネコ、小鳥、ねずみなど）、干支、各種野生動物（ライオン、カバ、キリン、コアラ、ラッコ、イルカ、クジラ、カメ、ヘビ、ワニ、カメレオンなど）のほか、龍や鳳凰などの架空の動物、さらには、アニメ、映画、ＴＶドラマ、童話、昔話などに登場するキャラクタや地域や団体のＰＲに使用されるマスコットキャラクタが含まれる。また、動物の足には鰭や尻尾に相当する部分も含まれるものである。
【００１８】
このように構成した本発明の他の特徴によれば、小物物品スタンドは、動物の外観を模して構成されているため、女性や子供にも親しみ易く部屋のインテリアとしても用いることができる。
【図面の簡単な説明】
【００１９】
【図１】本発明の一実施形態で第１実施形態に係る小物物品スタンドの外観構成の概略を示した斜視図である。
【図２】図１に示した小物物品スタンドの外観構成の概略を示した正面図である。
【図３】図１に示した小物物品スタンドの構成の概略を示した一部判断側面図である。
【図４】図１に示した小物物品スタンドの外観構成の概略を示した背面図である。
【図５】図１に示した小物物品スタンドに携帯端末装置を保持させた状態を示した斜視図である。
【図６】図５に示した携帯端末装置を保持した小物物品スタンドの構成の概略を示した正面図である。
【図７】図５に示した携帯端末装置を保持した小物物品スタンドの構成の概略を示した側面図である。
【図８】図１および図５にそれぞれ示した小物物品スタンドに携帯端末装置を宛がって汚れやゴミの拭き取り作業を説明するための説明図である。
【図９】本発明の他の一実施形態である第２実施形態に係る小物物品スタンドにメガネ前向きで保持させた状態を示した斜視図である。
【図１０】図９に示した小物物品スタンドにメガネを後ろ向きで保持させた状態を示した斜視図である。
【図１１】図９に示した小物物品スタンドにメガネをテンプルを開いた前向きで保持させた状態を示した斜視図である。
【図１２】図９に示した小物物品スタンドにおける第１拭き部でメガネのレンズを拭く様子を示した斜視図である。
【図１３】図９に示した小物物品スタンドにおける第２拭き部でメガネのレンズを拭く様子を示した斜視図である。
【図１４】図９に示した小物物品スタンドにおける第１拭き部でメガネのパッドを拭く様子を示した斜視図である。
【発明を実施するための形態】
【００２０】
（第１実施形態）
以下、本発明に係る小物物品スタンドの一実施形態について図面を参照しながら説明する。図１は、本発明の第１実施形態に係る小物物品スタンド１００の外観構成の概略を示した斜視図である。また、図２は、図１に示した小物物品スタンド１００の外観構成の概略を示した正面図である。また、図３は、図１に示した小物物品スタンド１００の外観構成の概略を示した一部破断側面図である。また、図４は、図１に示した小物物品スタンド１００の外観構成の概略を示した背面図である。この小物物品スタンド１００は、公知の一般的なスマートフォン（高機能電話機）、具体的には、平面視で長方形状の板状に形成されたスマートフォンからなる携帯端末装置ＳＭを一時的に保持させて保管するための器具である。
【００２１】
（小物物品スタンド１００の構成）
小物物品スタンド１００は、スタンド本体１０１を備えている。スタンド本体１０１は、携帯端末装置ＳＭを長辺を横（水平）にした向きの起立状態で保持するための構造体であり、小物物品スタンド１００を設置する設置面Ｇに起立する柱状に形成されている。より具体的には、スタンド本体１０１は、図示しない机上や棚上の設置面Ｇに対して携帯端末装置ＳＭを横長となる向きで起立させた高さ、すなわち、携帯端末装置ＳＭの横幅（短辺）よりも長い長さで垂直方向に延びて形成されている。本実施形態においては、スタンド本体１０１は、携帯端末装置ＳＭの長辺よりも長い長さで垂直方向に延びて形成されている。また、スタンド本体１０１の横幅は、携帯端末装置ＳＭの短辺以上かつ長辺以下の幅で形成されている。
【００２２】
このスタンド本体１０１は、主として、基部１１０と上部体１２０とで構成されており、全体として、動物の外観を模した立体形状に形成されている。本実施形態においては、スタンド本体１０１は、ヒヨコの外観を模した縦長の立体形状で構成されている。換言すれば、スタンド本体１０１は、所謂ヒヨコのぬいぐるみの外観で構成されている。
【００２３】
基部１１０は、設置面Ｇ上で上部体１２０を支持する部分であり、ウエイト体１１１を外皮材１１２で包み込んで縫合することにより立体的形状に形成して構成されている。本実施形態においては、基部１１０は、ヒヨコの胴部を模した立体形状に形成されている。ウエイト体１１１は、スタンド本体１０１を設置面Ｇ上に安定的に載置させるためのものであり、布製の袋体内に多数の樹脂製ビーズを充填して全体として弾性変形可能に構成されている（図３参照）。このウエイト体１１１は、基部１１０内の全体に詰まっている。なお、ウエイト体１１１は、重石として機能すれば固体（例えば、金属の塊）であってもよい。また、ウエイト体１１１は、ウエイト体１１１を全体として弾性変形可能に形成する場合には、樹脂製ビーズの以外の材料、例えば、スポンジ、ウレタン、低反発素材などで構成することもできる。
【００２４】
外皮材１１２は、基部１１０の外表面を構成する布材や皮材などからなるシート状の部材であり、第１拭き部１１３を構成する部分が携帯端末装置ＳＭの表面にキズなどの損傷を与えない柔軟で柔らかい素材で構成されるとともに、その他の部分が毛皮状の素材（例えば、ファー、ボア、パイル、モヘアまたはシール）などで構成されている。本実施形態においては、第１拭き部１１３を構成する外皮材１１２は、ポリエステル製（またはポリエステル材とナイロン材との混成材）の超極細繊維、所謂マイクロファイバで形成された布素材で構成されている。
【００２５】
第１拭き部１１３は、携帯端末装置ＳＭに付着した汚れを拭き取ることができる部分であり、後述する下端支持体１１４上に載置されてスタンド本体１１０側に傾倒する携帯端末装置ＳＭに対向する基部１１０の前面に形成されている。
【００２６】
この基部１１０の前面の下部には、下端支持体１１４が設けられている。下端支持体１１４は、携帯端末装置ＳＭの長辺部分が載置されることにより携帯端末装置ＳＭを横長となる向きで起立させた状態で支持するための部分であり、基部１１０の前面下端部から前方に向かって張り出して延びる２つの棒状体で構成されている。より具体的には、下端支持体１１４は、基部１１０の前面から前方に向かって延びた後、各先端部がそれぞれ上方に屈曲して形成されている。これにより、下端支持体１１０は、横向きに起立した状態の携帯端末装置ＳＭの下側の長辺部分から同携帯端末装置ＳＭの前面の下部にまで延びて同前面に掛けられた状態で携帯端末装置ＳＭの長辺部分を支持する。
【００２７】
この下端支持体１１４は、載置する携帯端末装置ＳＭに損傷を与えないように弾性体で構成されている。具体的には、下端支持体１１４は、棉（わた）やスポンジなどの弾性体を前記毛皮状の素材で包んで構成されている。そして、この下端支持体１１４は、下端支持体１１４を構成する２つの棒状体が横向きに起立した状態の携帯端末装置ＳＭを安定的に水平状態を維持できる間隔（例えば、長辺の１／２の間隔）を介してそれぞれ設けられている。
【００２８】
上部体１２０は、基部１１０上に形成された部分であり、クッション材１２１を外皮材１２２で包み込んで縫合することにより立体的形状に形成して構成されている。本実施形態においては、上部体１２０は、ヒヨコの頭部を模した立体形状に形成されている。より具体的には、上部体１２０は、正面視で下方側から上方側に向かって広がる台形状に形成されている。
【００２９】
クッション材１２１は、上部体１２０の全体を弾性的に形成するためのものであり、弾力性のあるポリエステル製の棉（わた）素材で構成されている。このクッション材１２１は、上部体１２０内の全体に詰まっている。なお、クッション材１２１は、弾力性のある素材で構成されていればよく、ポリエステル製の綿素材以外の素材、例えば、スポンジ、ウレタン、低反発素材、樹脂製ビーズなどで構成することもできる。
【００３０】
外皮材１２２は、前記外皮材１０４と同様に、上部体１２０の外表面を構成する布材や皮材などからなるシート状の部材であり、第２拭き部１２３を構成する部分が携帯端末装置ＳＭの表面にキズなどの損傷を与えない柔軟で柔らかい素材で構成されるとともに、その他の部分が毛皮状の素材（例えば、ファー、ボア、パイル、モヘアまたはシール）などで構成されている。本実施形態においては、第２拭き部１２３を構成する外皮材１２２は、第１拭き部１１３同様に、ポリエステル製の超極細繊維で形成された布素材で構成されている。
【００３１】
第２拭き部１２３は、携帯端末装置ＳＭに付着した汚れを拭き取ることができる部分であり、上部体１２０の後面全体に形成されている。この場合、第２拭き部１２３は、携帯端末装置ＳＭの横幅よりも大きな幅に形成されるとともに、後方に向かって曲面状に膨らんで形成されている。
【００３２】
この上部体１２０の前面の下部には、上側ロック片１２４が設けられている。上側ロック片１２４は、図５〜図７にそれぞれ示すように、下端支持体１１４上に載置された携帯端末装置ＳＭの上端部分の一部を覆う部分であり、上部体１２０の前面の下部側から張り出して形成されている。より具体的には、上側ロック片１２４は、下端支持体１１４上に載置された携帯端末装置ＳＭの上端部を押さえて携帯端末装置ＳＭを下端支持体１１４とともに挟むことができる位置に形成されている。
【００３３】
また、上側ロック片１２４は、上部体１２０側から前方に向かって先端部が尖っただ円錐の立体形状に形成されている。すなわち、上側ロック片１２４は、本実施形態においては、ヒヨコの嘴（くちばし）のを模した立体形状に形成されている。この上側ロック片１２４は、携帯端末装置ＳＭに損傷を与えないように弾性体で構成されている。具体的には、上側ロック片１１４は、棉（わた）やスポンジなどの弾性体を前記毛皮状の素材で包んで構成されている。
【００３４】
上部体１２０の前面における前記上側ロック片１２４の下方には、受け部１２５が形成されている。受け部１２５は、下端支持体１１４上に載置されてスタンド本体１１０側に傾倒する携帯端末装置ＳＭの後面側を受け止めて支持する部分であり、上部体１２０の前面における下端部と上側ロック片１２４との間に形成されている。この受け部１２５は、上部体１２０の内部に設けられたクッション材１２１によって携帯端末装置ＳＭを弾性的に受け止めることができる。
【００３５】
（小物物品スタンド１００の作動）
次に、このように構成された小物物品スタンド１００の作動について説明する。まず、小物物品スタンド１００の使用者は、携帯端末装置ＳＭの保管に際して小物物品スタンド１００を用意して机などの設置面Ｇ上に配置する。この場合、小物物品スタンド１００は、基部１１０の内部に設けられたウエイト体１１１が設置面Ｇに沿って変形して密着するとともに重石として機能するため安定的に載置される。
【００３６】
次に、使用者は、携帯端末装置ＳＭを小物物品スタンド１００に保持させる。具体的には、使用者は、小物物品スタンド１００における下端支持体１１４上に携帯端末装置ＳＭを横向きに起立した姿勢で載置する。この場合、使用者は、小物物品スタンド本体１００における上側ロック片１２４が携帯端末装置ＳＭを下端支持体１１１４とともに挟むことができる位置に形成されているため、携帯端末装置ＳＭの上端を上側ロック片１２４の根元側に押し込む。
【００３７】
これにより、携帯端末装置ＳＭは、長辺を横（水平）にした横向きの姿勢で下端支持体１１４上に載置されるとともに携帯端末装置ＳＭの上端部が上側ロック片１１４の根元部分に押し込まれて受け部１２５に弾性的に支持されて携帯端末装置ＳＭ全体がスタンド本体１０１側に傾倒した状態で保持される。すなわち、携帯端末装置ＳＭは、スタンド本体１０１側に傾倒すること、および上側ロック片１２４によってスタンド本体１０１の前方側および上方への変位が規制された状態で支持される。このため、携帯端末装置ＳＭは、安定した保持状態が維持される。なお、本実施形態においては、小物物品スタンド１００は、携帯端末装置ＳＭが第１拭き部１１３に対して非接触状態で傾倒させるように構成しているが、携帯端末装置ＳＭが第１拭き部１１３に対して接触状態で傾倒させるように構成することもできる。
【００３８】
なお、使用者は、携帯端末装置ＳＭにおける表示画面が形成された表面側を小物物品スタンド１００の前方に向ける向きで携帯端末装置ＳＭを小物物品スタンド１００に保持させてもよいし、携帯端末装置ＳＭの裏面側（表示画面が形成された表面の反対面）をスタンド本体１０１における基部１０２に向ける向きで携帯端末装置ＳＭを小物物品スタンド１００に保持させてもよい。
【００３９】
次に、使用者は、携帯端末装置ＳＭを使用する際には、携帯端末装置ＳＭを小物物品スタンド１００から取り外す。具体的には、使用者は、携帯端末装置ＳＭの上端部を上側ロック片１１４の根元部分から前方に引き出すとともに携帯端末装置ＳＭ全体を持ち上げることによって携帯端末装置ＳＭを小物物品スタンド１００から取り外すことができる。
【００４０】
この場合、小物物品スタンド１００は、上側ロック片１２４が下端支持体１１４に対向する表面がスタンド本体１０１から張り出した先端部側から同スタンド本体部１０１側に向かって下方に傾斜しているため、携帯端末装置ＳＭの上端部を上側ロック片１２４から少し外すことで容易に取り出すことができる。
【００４１】
また、使用者は、携帯端末装置ＳＭを小物物品スタンド１００に保持させた場合や小物物品スタンド１００からから取り外す場合において、携帯端末装置ＳＭにおける基部１１０側に対向する面である後面の汚れやゴミを除去することができる。具体的には、使用者は、図８に示すように、携帯端末装置ＳＭが小物物品スタンド１００に保持された状態において、携帯端末装置ＳＭを基部１１０側に押し付けて（押し付ける方向を破線矢印で示す）小物物品スタンド１００の幅方向（換言すれば、携帯端末装置ＳＭの長手方向）に往復変位させる。これにより、携帯端末装置ＳＭは、スタンド本体１０１における基部１１０の前面に設けられた第１拭き部１１３に擦られることによって後面に付着した汚れやゴミが拭き取られる。なお、この場合、使用者は、携帯端末装置ＳＭが傾倒した状態で保持されているため、携帯端末装置ＳＭを傾倒方向に直交する方向（破線矢印参照）から押圧することにより、スタンド本体１０１を設置面Ｇに置いた状態で使用者が把持することなく拭き作業を行うこともできる。
【００４２】
また、使用者は、携帯端末装置ＳＭを小物物品スタンド１００から取り外した状態においても携帯端末装置ＳＭの表面に付着した汚れやゴミを除去することができる。具体的には、使用者は、図８に示すように、携帯端末装置ＳＭおよび小物物品スタンド１００をそれぞれ把持して第２拭き部１２５に携帯端末装置ＳＭを宛がって（宛がう方向を破線矢印で示す）相対変位させることによって携帯端末装置ＳＭの表面に付着した汚れやゴミを除去することができる。
【００４３】
上記作動説明からも理解できるように、上記実施形態によれば、小物物品スタンド１００は、スタンド本体１０１の下端部から張り出した下端支持体１１４上に携帯端末装置ＳＭを長辺を横向き（水平方向）にした姿勢で載置することにより携帯端末装置ＳＭをスタンド本体１０１側に傾倒させて保持しているため、携帯端末装置ＳＭを安定的に保持することができる。また、本発明に係る小物物品スタンド１００は、スタンド本体１０１における携帯端末装置ＳＭが対向する部分に汚れを拭き取るための布で構成された第１拭き部１１３を備えているため、この第１拭き部１１３によって携帯端末装置ＳＭに付着した汚れやゴミを拭き取ることができる。
【００４４】
さらに、本発明の実施にあたっては、上記第１実施形態に限定されるものではなく、本発明の目的を逸脱しない限りにおいて種々の変更が可能である。なお、下記各変形例において、上記第１実施形態と同様の構成部分については同じ符号を付して、その説明を省略する。
【００４５】
例えば、上記第１実施形態においては、スタンド本体１０１は、基部１１０と上部体１２０とで構成した。しかし、スタンド本体１０１は、携帯端末装置ＳＭの短辺よりも長い長さで垂直方向に延びて形成されていればよく、基部１１０と上部体１２０とを一体的に構成することもできる。この場合、スタンド本体１０１の内部には、ウエイト体１１１上にクッション材１２１を詰めるようにすればよい。
【００４６】
また、上記第１実施形態においては、スタンド本体１０１は、受け部１２５を上部体１２０に形成した。しかし、受け部１２５は、下端支持体１１４上に載置された携帯端末装置ＳＭの後面側に対向して設けられていればよい。したがって、受け部１２５は、基部１１０における前面に形成することも可能である。この場合、受け部１２５は、第１拭き部１１３とは異なる位置に設けてもよいし、第１拭き部１１３と同じ位置に形成、すなわち、受け部１２５と第１拭き部とを兼用するように構成することもできる。
【００４７】
また、上記第１実施形態においては、スタンド本体１０１は、上側ロック片１２４を備えて構成した。しかし、スタンド本体１０１は、上側ロック片１２４を省略して構成しても携帯端末装置ＳＭを保持することができる。
【００４８】
また、上記第１実施形態においては、上側ロック片１２４は、下端支持体１１４に対向する表面がスタンド本体１０１から張り出した先端部側から同スタンド本体部１０１側に向かって下方に傾斜して形成されている。これにより、小物物品スタンド１００は、使用者が下端支持体１１４上に携帯端末装置ＳＭを配置する際、携帯端末装置ＳＭの上端部を徐々に上側ロック片１２４に押し込むことができるとともに、使用者携帯端末装置ＳＭを取り出す際にも携帯端末装置ＳＭの上端部を上側ロック片１２４から少し外すことで容易に取り出すことができ、携帯端末装置ＳＭの保持および取り出しの各作業を行い易くすることができる。しかし、上側ロック片１２４は、携帯端末装置ＳＭの前面側の上端部の一部を覆うことができる形状に形成されていれば、必ずしも上記第１実施形態に限定されるものではない。
【００４９】
また、上記第１実施形態においては、スタンド本体１０１は、上部体１２０の背面部分に第２拭き部１２５を備えて構成した。しかし、スタンド本体１０１は、第２拭き部１２５を基部１１０を含むスタンド本体１０１の背面全体に形成して構成してもよいし、基部１１０の背面のみに形成して構成することもできる。また、スタンド本体１０１は、第２拭き部１２５が不要の場合には、第２拭き部１２５を省略して構成することもできる。
【００５０】
また、上記第１実施形態においては、下端支持体１１４を２本の棒状体で構成した。しかし、下端支持体１１４は、スタンド本体１０１の下端部から張り出して形成されて携帯端末装置ＳＭの長辺部分が載置される弾性体で構成されていれば、必ずしも上記第１実施形態に限定されるものではない。したがって、下端支持体１１４は、例えば、３本以上の棒状体で構成することができるとともに、幅広に形成すれば１本の棒状体や板状に形成することもできる。また、これらの場合、下端支持体１１４は、スタンド本体１０１の下端部から張り出して延びて上方に屈曲しない直線状や曲線状の棒状体で構成することもできる。
【００５１】
また、上記第１実施形態においては、小物物品スタンド１００は、全体としてヒヨコの外観も模した立体的形状に形成した。しかし、小物物品スタンド１００は、携帯端末装置ＳＭを保持可能に形成されていれば必ずしも上記実施形態の形状に限定されるものではない。すなわち、小物物品スタンド１００は、例えば、動物、植物、キャラクタ、建造物、構造物、美術品または食品の外形を模した形状に成形することができる。
【００５２】
また、上記第１実施形態においては、携帯端末装置ＳＭをスマートフォンとした。しかし、携帯端末装置ＳＭは、人が携帯可能な大きさであって平面視で長方形状の板状に形成されたものであれば、必ずしも上記実施形態に限定されるものではない。したがって、携帯端末装置ＳＭは、例えば、折り畳み型の携帯電話やタブレット型コンピュータなどであってもよい。
【００５３】
（第２実施形態）
次に、本発明の第２実施形態に係る小物物品スタンド１００について図９〜図１３を用いて説明する。この小物物品スタンド１００は、公知の一般的なメガネＧｌを一時的に保持させて保管するための器具であり、基本的構成は上記第１実施形態における小物物品スタンドと同様である。したがって、本第２実施形態においては、上記第１実施形態と異なる部分について説明する。
【００５４】
（小物物品スタンド１００の構成）
小物物品スタンド１００におけるスタンド本体１０１および下端支持体１１４は、メガネＧｌを支持可能な大きさに形成されている。具体的には、スタンド本体１０１は、メガネＧｌのレンズを起立させた状態での高さよりも長い長さの柱状に延びて形成されている。本実施形態においては、スタンド本体１０１は、基部１１０が下端支持体１１４上に載置されたメガネＧｌと略同じ高さに形成されるとともに、上部体１２０が基部１１０の高さよりも若干高い高さに形成されている。また、基部１１０は、メガネＧｌにおける左右のレンズの中央部分までそれぞれ延びる横幅に形成されている。
【００５５】
下端支持体１１４は、メガネＧｌにおける左右のレンズの下方部分を支持する部分であり、メガネＧｌにおける左右のレンズの中央部分の下方に位置するように設けられている。また、下端支持体１１４は、第１拭き部１１３との隙間がメガネＧｌを畳んだ厚さと略同じまたは若干厚い厚さとなる突出量で形成されている。
【００５６】
上側ロック片１２４は、下端支持体１１４上に載置されたメガネＧｌにおけるブリッジの上端部分を覆う部分であり、上部体１２０の前面の下部側から張り出して形成されている。より具体的には、上側ロック片１２４は、下端支持体１１４上に載置されたメガネＧｌのブリッジを押さえてメガネＧｌを下端支持体１１４とともに挟むことができる位置に形成されているまた、上部体１２０の前面における前記上側ロック片１２４の下方には、下端支持体１１４上に載置されてスタンド本体１１０側に傾倒するメガネＧｌの後面側を受け止めて支持する受け部１２５が形成されている。
【００５７】
（小物物品スタンド１００の作動）
次に、このように構成された小物物品スタンド１００の作動について説明する。使用者は、小物物品スタンド１００を机などの設置面Ｇ上に配置した後、メガネ９０のテンプルを閉じた状態で下端支持部１１４上に載置する。この場合、使用者は、図９に示すように、メガネＧｌの正面を小物物品スタンド１００の前方に向けた向きで載置してもよいが、図１０に示すように、メガネＧｌの正面を小物物品スタンド１００の第１拭き部１１３に側に向けた向きで載置することができる。また、この場合、使用者は、図１１に示すように、メガネＧｌのテンプルを開いた状態でメガネＧｌの正面を小物物品スタンド１００の前方に向けた向きで載置することもできる。
【００５８】
また、この場合、使用者は、小物物品スタンド本体１００における上側ロック片１２４がメガネＧｌを下端支持体１１１４とともに挟むことができる位置に形成されているため、メガネＧｌにおけるブリッジの上端を上側ロック片１２４の根元側に押し込む。これにより、メガネＧｌは、メガネＧｌの左右のレンズの下方が下端支持体１１４上に載置されるとともにメガネＧｌのブリッジが上側ロック片１１４の根元部分に押し込まれた状態で保持される。なお、本実施形態においては、小物物品スタンド１００は、メガネＧｌが第１拭き部１１３に対して非接触状態で傾倒させるように構成しているが、メガネＧｌが第１拭き部１１３に対して接触状態で傾倒させるように構成することもできる。
【００５９】
次に、使用者は、メガネＧｌを使用する際には、メガネＧｌにおけるブリッジを上側ロック片１１４の根元部分から前方に引き出してメガネＧｌ全体を持ち上げることによってメガネＧｌを小物物品スタンド１００から取り外すことができる。
【００６０】
また、使用者は、小物物品スタンド１００を用いてメガネＧｌの汚れを拭き取ることができる。具体的には、使用者は、例えば、図１２に示すように、メガネＧｌにおけるレンズを第１拭き部１１３に擦り付けることによってレンズに付着した汚れやゴミを拭き取ることができる。また、使用者は、図１３に示すように、メガネＧｌにおけるレンズを第２拭き部１２３に擦り付けることによってレンズに付着した汚れやゴミを拭き取ることができる。また、使用者は、メガネＧｌのテンプルを開いた状態で下端部支持体１１４上に載置した場合には、図１４に示すように、メガネＧｌのパッド（鼻当て部）を第１拭き部１１３に押し付けて擦ることによりパッド付着した汚れやゴミを拭き取ることができる。
【００６１】
上記作動説明からも理解できるように、上記第２実施形態によれば、小物物品スタンド１００は、スタンド本体１０１の下端部から張り出した下端支持体１１４上にメガネＧｌを起立させた姿勢で載置することによりメガネＧｌをスタンド本体１０１に凭れさせた状態で支持しているため、メガネＧｌを安定的に保持することができる。また、小物物品スタンド１００は、スタンド本体１０１におけるメガネＧｌが対向する部分に汚れを拭き取るための布で構成された第１拭き部１１３を備えているため、この第１拭き部１１３によってメガネＧに付着した汚れやゴミを拭き取ることができる。
【００６２】
さらに、本発明の実施にあたっては、上記第２実施形態に限定されるものではなく、本発明の目的を逸脱しない限りにおいて種々の変更が可能である。具体的には、上記第１実施形態と同様の種々の変更が可能である。
【符号の説明】
【００６３】
Ｓｍ…携帯端末装置、Ｇｌ…メガネ、Ｇ…設置面、
１００…小物物品スタンド、
１０１…スタンド本体、
１１０…基部、１１１…ウエイト体、１１２…外皮材、１１３…第１拭き部、１１４…下端支持体、
１２０…上部体、１２１…クッション体、１２２…外皮材、１２３…第２拭き部、１２４…上側ロック片、１２５…受け部。
【図１】
2016083189.tif 000003
【図２】
2016083189.tif 000004
【図３】
2016083189.tif 000005
【図４】
2016083189.tif 000006
【図５】
2016083189.tif 000007
【図６】
2016083189.tif 000008
【図７】
2016083189.tif 000009
【図８】
2016083189.tif 000010
【図９】
2016083189.tif 000011
【図１０】
2016083189.tif 000012
【図１１】
2016083189.tif 000013
【図１２】
2016083189.tif 000014
【図１３】
2016083189.tif 000015
【図１４】
2016083189.tif 000016